(57)【要約】      （修正有）【課題】ポンプ付き容器の首部を係着座に係着保持し、押圧体の押圧子でポンプヘッドを押し下げて中の溶液を押し出すポンプ付き容器の吊下具において、前記首部に対する係着座の係着自由度が広範である上、前記押圧子が該容器の首部からポンプヘッドまでの高さに広く対応して押し下げできるポンプ付き容器の吊下具を提供する。【解決手段】垂直辺を形成する垂直部材１と、これと一体に水平辺を形成する水平部材２とによる背面視Ｌ形の係着部３と、逆Ｔ字状の押圧体４から成り、固定部が配設される垂直辺と平面視二股状の係着座が配設される水平辺とからなるＬ形の係着部３において、係着座が所要の締結力を伴って開閉自在に開口され、前記押圧体４が垂直辺の左右に縦設した取付け座１００において、その上下に貫通配設される複数の軸孔６０の要所に揺動自在に軸支され、押圧子１０が押圧体４の中間部に立設した一対の対向支柱９に回動自在に配設される。【選択図】図１
0003196173.tif 000002
【実用新案登録請求の範囲】
【請求項１】
垂直辺に固定部が配設され、水平辺に平面視二股状の係着座が配設されるＬ形の係着部と、前記垂直辺に一端が揺動自在に軸支され、中間部に押圧子が配設され、他端に押圧部が配設される押圧体とから成るポンプ付き容器の吊下具において、
前記係着座が所要の締結力を伴って開閉自在に開口されて成るポンプ付き容器の吊下具。
【請求項２】
前記押圧体が前記垂直辺の左右に縦設した取付け座において、その上下に貫通配設される複数の軸孔の要所に搖動自在に軸支され、前記押圧子が押圧体の中間部に立設した一対の対向支柱に回動自在に配設されて成る請求項１記載のポンプ付き容器の吊下具。
【考案の詳細な説明】
【技術分野】
【０００１】  本考案は、シャンプーやすすぎ中和剤、或はボディシャンプー等の洗剤溶液を収納し、手押しポンプで該洗剤溶液を吐出する容器（ポンプ付き容器）の吊下具に関する。
【背景技術】
【０００２】  洗剤溶液を収納し、手押しポンプのポンプヘッドを操作して該溶液を押し出す容器（ポンプ付き容器）の吊下具として、特許第３８６４３０２号（特許文献１）を保有するものであるが、該容器のキャップを螺合したネジ筒（首部）の外径に対応する自由度が狭く、さらに、該首部からポンプヘッド、正確にはその頂面までの高さに対応する自由度も狭かったことから、これらの自由度を広範なものとして、更なる利便性の向上を図る必要があった。
【先行技術文献】
【特許文献】
【０００３】
【特許文献１】特許第３８６４３０２号公報
【考案の概要】
【考案が解決しようとする課題】
【０００４】  本考案は、上記の実情に鑑みて、ポンプ付き容器の首部を係着座に係着保持し、押圧体の押圧子でポンプヘッドを押圧して中の溶液を吐出させるポンプ付き容器の吊下具において、前記首部に対する係着座の係着自由度が広範である上、前記押圧子が該容器の首部からポンプヘッドまでの高さに広く対応して押圧できるポンプ付き容器の吊下具を提供するものである。
【課題を解決するための手段】
【０００５】  上記課題を解決する本考案の請求項１に記載したポンプ付き容器の吊下具は、垂直辺に固定部が配設され、水平辺に平面視二股状の係着座が配設されるＬ形の係着部と、前記垂直辺に一端が揺動自在に軸支され、中間部に押圧子が配設され、他端に押圧部が配設される押圧体とから成るポンプ付き容器の吊下具において、
前記係着座が所要の締結力を伴って開閉自在に開口されて成る。
また、請求項２に記載した考案は、請求項１に記載したポンプ付き容器の吊下具において、
前記押圧体が前記垂直辺の左右に縦設した取付け座において、その上下に貫通配設される複数の軸孔の要所に搖動自在に軸支され、前記押圧子が押圧体の中間部に立設した一対の対向支柱に回動自在に配設されて成る。
【考案の効果】
【０００６】  本考案によれば、平面視二股状の係着座が所要の締結力を伴って開閉自在であるから、ポンプ付き容器の首部寸法に応じて確実に係着保持できる上、該首部からポンプヘッドの頂面までの高さ寸法に応じて押圧体の軸支位置を選択できるから、多くの市販のポンプ付き容器に対応できる効果がある。
【図面の簡単な説明】
【０００７】
【図１】本考案に係るポンプ付き容器の吊下具Ａの正面図。
【図２】図１の平面図。
【図３】図１のＡ−Ａ断面矢視による左右係着座１４、１５の作動説明図で、（ａ）は両係着座１４、１５の閉止状態を示し、（ｂ）は捩りバネＳの弾発力に抗して操作した両係着座１４、１５の開口状態を示す。
【図４】左係着座１４の説明図で、（ａ）はその正面図、（ｂ）は（ａ）の背面図、（ｃ）は（ｂ）のＢ−Ｂ矢視図。
【図５】右係着座１５の説明図で、（ａ）はその正面図、（ｂ）は（ａ）の背面図、（ｃ）は（ａ）のＣ−Ｃ矢視図。
【図６】捩りバネＳの斜視図。
【図７】図５（ａ）のＤ−Ｄ矢視拡大断面端面図。
【図８】本考案のポンプ付き容器の吊下具Ａの使用状態の説明図。
【考案を実施するための形態】
【０００８】  二股状の係着座は、左係着座と右係着座とに分割され、両係着座に締結力を付与する手段としては、各個の係着座に捩りバネの各端を連係するものから、各係着座毎に捩りバネを設け、一端を水平部材に係止し、他端をそれぞれの係着座に係止するものでも提供される。
【実施例】
【０００９】  本考案を実施例により説明すると、ポンプ付き容器の吊下具Ａは図１、図２に示すように、垂直辺を形成する垂直部材１とこれと一体に水平辺を形成する水平部材２とによる背面視Ｌ形の係着部３と、逆Ｔ字状の押圧体４とから成り、該押圧体４は平面視横向きＵ状に二股の棒体からなるアーム５が、その開口右端部を内方に僅かに絞り、その端部にそれぞれ直角に係合軸６を張り出し、この係合軸６は垂直部材１の左右に縦設した取付け座１００において、その上下に貫通配設される複数個（８個）の軸孔６０の要所に係合され、左端部の円弧部には薄肉厚で平面視舌片状の押圧部７が形成され、中間部には所要高さで上端部にピン孔８を開口した一対の対向支柱９が対設され、該ピン孔８には平板状でポンプヘッドＰの頂面に所要平面積を有して係着する押圧子１０の前後（平面視での前後）に張り出した各係合ピン１１を遊嵌し、押圧子１０を対向支柱９に対して揺動自在に軸支する。
一方、係着部３の垂直部材１には壁面等への固定部として吸盤１２が設けられ、該吸盤１２は水平軸芯で吸引軸に回動自在に係合されたレバー１３の反転操作によって吸着、解放がなされる。そして、係着部３の水平部材２には左係着座１４と右係着座１５とがそれぞれ回動自在に接合されるが、左係着座１４には図４に示すように、所要厚で左回りの円弧状の左着座部１６に対してその肉厚が左着座部１６の略２倍の左接合部１７が一体に形成され、この左接合部１７には水平部材２の軸孔３５にハト目軸１８を介して揺動自在に軸支される軸孔１９が貫設されるとともに、その右方には左着座部１６の底面からその厚さ分を所要に切り欠いて凹設される左係合座２０が配設され、該左係合座２０には長孔２１が貫設されるとともに、裏面からその周囲に所要幅で所要深さの円周溝２２と捩りバネＳの一端を係止する係止溝２３が配設される。そして、左着座部１６で段差を配して形成される左着座面２４には滑り止め用の突起２５が断続的に複数個設けられる。
次に、右係着座１５には図５に示すように、所要厚で右回りの円弧状の右着座部２６に対してその肉厚が右着座部２６の略２倍の右接合部２７が一体に形成され、この右接合部２７には水平部材２にハト目軸１８を介して揺動自在に軸支される軸孔１９が貫設されるとともに、その左方には上面から該右着座部２６の表面に至る厚さ分を切り欠いて凹設される右係合座２８が配設され、該右係合座２８には捩りバネＳを軸支するピン２９を所要高さに立設するとともに、該捩りバネＳを収める円周溝３０とその他端を係止する係止溝３１が設けられる。そして、図７に示すように、右着座部２６で段差を配して形成される右着座面３２には左着座面２４と同様に、滑り止め用の突起３３が断続的に複数個設けられる。
なお、左着座部１６と右着座部２６に貫設される各軸孔１９の底面側にはハト目の返しを収める円周溝３４が各軸孔１９と同芯状に設けられる。【００１０】  このようにして成る左係着座１４と右係着座１５との関係は、左係着座１４の左接合部１７に凹設される左係合座２０に右係着座１５の右接合部２７に凹設される右係合座２８が重畳されるとともに、右係合座２８に立設されたピン２９に捩りバネＳを遊嵌し、該捩りバネＳの一端を右接合部２７に切り欠いた係止溝３１に係止するとともに、該ピン２９を左係着座１４の左接合部１７の長孔２１に遊嵌し、同時に捩りバネＳの他端を該左接合部１７の係止溝２３に係止し、この状態で、左係着座１４と右係着座１５にそれぞれ貫設した軸孔１９に水平部材２に貫設した軸孔３５を合致させ、両軸孔１９、３５に嵌入されたハト目軸１８を介して該水平部材２にそれぞれ左係着座１４と右係着座１５とが揺動自在に軸支されるものである。【００１１】  このようにして成るポンプ付き容器の吊下具（以下、単に吊下具とする。）Ａは図８に示すように、係着部３の垂直部材１に設けられた吸盤１２により壁面等に係着され、水平部材２にハト目軸１８で揺動自在に軸支された左係着座１４と右係着座１５とが開口され、洗剤溶液を収納したポンプ付き容器３６の首部３７が差し込まれ、それぞれの左着座面２４と右着座面３２にキャップ３８の締め付けによってその底面が着座され、その状態で押圧体４のアーム５の係合軸６が垂直部材１の左右に縦設した取付け座１００において、複数個の軸孔６０の中から選択された軸孔６０に係合され、押圧子１０がポンプヘッドＰの頂面に係着される。そして、押圧体４の押圧部７を手の甲で矢印方向に押し下げれば、押圧子１０がポンプヘッドＰを押圧し、中の洗剤溶液は掌に吐出される。
このように、本考案の吊下具Ａは左係着座１４と右係着座１５との開口度合いで各種ポンプ付き容器３６の首部３７に対応でき、その上、首部３７からポンプヘッドＰの頂面までの高さの各種寸法に対しては、取付け座１００に複数個貫通配設される軸孔６０を選択することによって、押圧子１０のポンプヘッドＰへの最適係着姿勢を確保できることとなり、広く市販の前記容器３６に対応できるものである。
【産業上の利用可能性】
【００１２】  本考案は、市販される多くのポンプ付き容器に広く利用できるから、洗剤使用の利便性向上に伴う洗剤業界の需要増進に寄与できる上、射出成形業界の活性化にも資するものである。
【符号の説明】
【００１３】１  垂直部材
２  水平部材
３  係着部
４  押圧体
５  アーム
６  係合軸
７  押圧部
８  ピン孔
９  対向支柱
１０  押圧子
１１  係合ピン
１２  吸盤
１３  レバー
１４  左係着座
１５  右係着座
１６  左着座部
１７  左接合部
１８  ハト目軸
１９  軸孔
２０  左係合座
２１  長孔
２２  円周溝
２３  係止溝
２４  左着座面
２５  突起
２６  右着座部
２７  右接合部
２８  右係合座
２９  ピン
３０  円周溝
３１  係止溝
３２  右着座面
３３  突起
３４  円周溝
３５  軸孔
３６  ポンプ付き容器
３７  首部
３８  キャップ
６０  軸孔
１００  取付け座
Ｐ  ポンプヘッド
Ｓ  捩りバネ
Ａ  ポンプ付き容器の吊下具
【図１】
0003196173.tif 000003
【図２】
0003196173.tif 000004
【図３】
0003196173.tif 000005
【図４】
0003196173.tif 000006
【図５】
0003196173.tif 000007
【図６】
0003196173.tif 000008
【図７】
0003196173.tif 000009
【図８】
0003196173.tif 000010